(57)【要約】【課題】複数のデータベースを、時間を結合キーとして、各データ項目内のデータを統合するデータ統合システム、方法及びプログラムを提供すること。【解決手段】時間情報及び空間情報をデータ項目に含む基軸データベースと、時間情報又は空間情報に関連付けられるデータ項目を含む少なくとも一つの被統合データベースと、を統合するデータ統合システムであって、データベース記憶手段と、データ取得手段と、各データベース内の時間情報を、所定の時間単位に揃える時間単位変換手段と、各データベース内の空間情報を、所定の空間基準に揃える空間基準変換手段と、時間単位及び空間基準が揃えられた各変換後のデータベースを、時間を結合キーとして、各データ項目内のデータを一つの統合データベースとして統合するデータ統合手段と、統合データベースを記憶する統合データベース記憶手段と、を有すること。【選択図】図２
2017191454.tif 000002
【特許請求の範囲】
【請求項１】
時間情報及び空間情報をデータ項目に含む基軸データベースと、
時間情報又は空間情報に関連付けられるデータ項目を含む少なくとも一つの被統合データベースと、を統合するデータ統合システムであって、
各データベースを記憶するデータベース記憶手段と、
各データベースからデータを取得するデータ取得手段と、
各データベース内の時間情報を、所定の時間単位に揃える時間単位変換手段と、
各データベース内の空間情報を、所定の空間基準に揃える空間基準変換手段と、
時間単位及び空間基準が揃えられた各変換後のデータベースを、時間を結合キーとして、各データ項目内のデータを一つの統合データベースとして統合するデータ統合手段と、
統合データベースを記憶する統合データベース記憶手段と、を有する
ことを特徴とするデータ統合システム。
【請求項２】
変換関数を記憶する変換関数記憶手段を、更に有し、
前記時間単位変換手段は、前記変換関数記憶手段に記憶された複数の変換関数から、選択された変換関数に基づいて、取得したデータを所定の時間単位に揃え、
前記空間基準変換手段は、前記変換関数記憶手段に記憶された複数の変換関数から、選択された変換関数に基づいて、取得したデータベースの空間情報を所定の空間基準に揃える
ことを特徴とする請求項１に記載のデータ統合システム。
【請求項３】
前記統合データベースを外部に出力する出力手段を、更に有する
ことを特徴とする請求項１又は２に記載のデータ統合システム。
【請求項４】
前記統合データベースを表示画面に表示する表示手段を、更に有する
ことを特徴とする請求項１から３までのいずれか１項に記載のデータ統合システム。
【請求項５】
地図情報を記憶する地図情報記憶手段を、更に有し、
前記表示画面は、縦軸及び横軸を有する第１の領域と、地図を表示する第２の領域と、を有し、
前記表示手段は、前記第１の領域の縦軸に前記統合データベースのデータ項目を、横軸に時間をそれぞれ表示し、前記第２の領域の前記地図上に、前記統合データベースの空間情報を重ね表示する
ことを特徴とする請求項４に記載のデータ統合システム。
【請求項６】
前記統合データベースのデータ項目を検索するための検索条件の入力を受付ける検索条件受付手段と、
入力された検索条件に一致するデータを前記統合データベースから検索する検索手段と、を更に有し、
前記表示手段は、前記第１の領域に、前記検索条件に一致するデータを含む時間を対象範囲として重ね表示し、前記検索条件に一致するデータを含むデータ項目が空間情報を含む場合、前記第２の領域の前記地図上に、前記対象範囲内の空間情報を重ね表示する
ことを特徴とする請求項５に記載のデータ統合システム。
【請求項７】
前記統合データベースから選択された一つの指定データ項目と、それ以外の全データ項目との関連度をそれぞれ演算する比較演算手段を、更に有し、
前記表示手段は、比較演算結果を前記表示画面の第３の領域に表示する
ことを特徴とする請求項５又は６に記載のデータ統合システム。
【請求項８】
時間情報に関連付けられた文字情報を含むイベントデータベースを記憶するイベントデータ記憶手段と、
イベントデータベースからイベントデータを取得するイベントデータ取得手段と、を更に有し、
前記表示手段は、取得したイベントデータの文字情報を、第１の領域の横軸に対応させて、重ね表示する
ことを特徴とする請求項５から７までのいずれか１項に記載のデータ統合システム。
【請求項９】
時間情報及び空間情報をデータ項目に含む基軸データベースと、
時間情報又は空間情報に関連付けられるデータ項目を含む少なくとも一つの被統合データベースと、を統合するデータ統合方法であって、
各データベースからデータを取得するデータ取得ステップと、
各データベース内の時間情報を、所定の時間単位に揃える時間単位変換ステップと、
各データベース内の空間情報を、所定の空間基準に揃える空間基準変換ステップと、
時間単位及び空間基準が揃えられた各変換後のデータベースを、時間を結合キーとして、各データ項目内のデータを一つの統合データベースとして統合するデータ統合ステップと、を有する
ことを特徴とするデータ統合方法。
【請求項１０】
コンピュータのプログラムであって、
コンピュータに、請求項９に記載のデータ統合方法の各ステップを実行させる
ことを特徴とするプログラム。
【発明の詳細な説明】
【技術分野】
【０００１】
本発明は、データ統合システム、方法及びプログラムに関する。
【背景技術】
【０００２】
従来、二次元の地図（空間情報）上の特定の場所又は地域に関連付けて、種々の情報を、地図上に表示することが行われている（特許文献１参照）。
【０００３】
特許文献１には、地図上に、特定の場所又は建造物に関する時間的変遷を表示する多次元データの表示システムが記載されている。
【０００４】
しかしながら、特許文献１にみられる表示システムは、単に、時系列表示用データ（時間情報）を、地図上に重ね表示しているだけで、他のデータベースと統合されているものではなかった。
【０００５】
また、時間データ（ベース）と空間データ（ベース）とを統合するデータ統合システムと称するものもあったが、これらもはやり、各データベースのデータを、地図上に重ね表示しているだけで、各データベースは独立しており、各データベース間でデータ同士が結び付けられたデータ統合ではなかった。
【先行技術文献】
【特許文献】
【０００６】
【特許文献１】特開２００６−３０１７１３号公報
【発明の概要】
【発明が解決しようとする課題】
【０００７】
そこで、本発明は、複数のデータベースを、時間を結合キーとして、各データ項目内のデータを統合するデータ統合システム、方法及びプログラムを提供することを目的とする。
【課題を解決するための手段】
【０００８】
（１）本発明に係る一つの態様は、時間情報及び空間情報をデータ項目に含む基軸データベースと、時間情報又は空間情報に関連付けられるデータ項目を含む少なくとも一つの被統合データベースと、を統合するデータ統合システムであって、各データベースを記憶するデータベース記憶手段と、各データベースからデータを取得するデータ取得手段と、各データベース内の時間情報を、所定の時間単位に揃える時間単位変換手段と、各データベース内の空間情報を、所定の空間基準に揃える空間基準変換手段と、時間単位及び空間基準が揃えられた各変換後のデータベースを、時間を結合キーとして、各データ項目内のデータを統合データベースとして統合するデータ統合手段と、統合データベースを記憶する統合データベース記憶手段と、を有するものである。
【０００９】
（２）上記（１）の態様において、変換関数を記憶する変換関数記憶手段を、更に有し、前記時間単位変換手段は、前記変換関数記憶手段に記憶された複数の変換関数から、選択された変換関数に基づいて、取得したデータを所定の時間単位に揃え、前記空間基準変換手段は、前記変換関数記憶手段に記憶された複数の変換関数から、選択された変換関数に基づいて、取得したデータベースの空間情報を所定の空間基準に揃えてもよい。
【００１０】
（３）上記（１）又は（２）の態様において、前記統合データベースを外部に出力する出力手段を、更に有してもよい。
【００１１】
（４）上記（１）から（３）までのいずれか一つの態様において、前記統合データベースを表示画面に表示する表示手段を、更に有してもよい。
【００１２】
（５）上記（４）の態様において、地図情報を記憶する地図情報記憶手段を、更に有し、前記表示画面は、縦軸及び横軸を有する第１の領域と、地図を表示する第２の領域と、を有し、前記表示手段は、前記第１の領域の縦軸に前記統合データベースのデータ項目を、横軸に時間をそれぞれ表示し、前記第２の領域の前記地図上に、前記統合データベースの空間情報を重ね表示してもよい。
【００１３】
（６）上記（５）の態様において、前記統合データベースのデータ項目を検索するための検索条件の入力を受付ける検索条件受付手段と、入力された検索条件に一致するデータを前記統合データベースから検索する検索手段と、を更に有し、前記表示手段は、前記第１の領域に、前記検索条件に一致するデータを含む時間を対象範囲として重ね表示し、前記検索条件に一致するデータを含むデータ項目が空間情報を含む場合、前記第２の領域の前記地図上に、前記対象範囲内の空間情報を重ね表示してもよい。
【００１４】
（７）上記（５）又は（６）の態様において、前記統合データベースから選択された一つの指定データ項目と、それ以外の全データ項目との関連度をそれぞれ演算する比較演算手段を、更に有し、前記表示手段は、比較演算結果を前記表示画面の第３の領域に表示してもよい。
【００１５】
（８）上記（５）から（７）までのいずれか一つの態様において、時間情報に関連付けられた文字情報を含むイベントデータベースを記憶するイベントデータベース記憶手段と、イベントデータベースからイベントデータを取得するイベントデータ取得手段と、を更に有し、前記表示手段は、取得したイベントデータの文字情報を、第１の領域の横軸に対応させて、重ね表示してもよい。
【００１６】
（９）本発明に係る別の一つの態様は、時間情報及び空間情報をデータ項目に含む基軸データベースと、時間情報又は空間情報に関連付けられるデータ項目を含む少なくとも一つの被統合データベースと、を統合するデータ統合方法であって、各データベースからデータを取得するデータ取得ステップと、各データベース内の時間情報を、所定の時間単位に揃える時間単位変換ステップと、各データベース内の空間情報を、所定の空間基準に揃える空間基準変換ステップと、時間単位及び空間基準が揃えられた各変換後のデータベースを、時間を結合キーとして、各データ項目内のデータを統合データベースとして統合するデータ統合ステップと、を有するものである。
【００１７】
（１０）本発明に係る更に別の一つの態様は、コンピュータのプログラムであって、コンピュータに、上記（９）の態様に記載のデータ統合方法の各ステップを実行させるプログラムである。
【発明の効果】
【００１８】
本発明によれば、複数のデータベースを、時間を結合キーとして、各データ項目内のデータを統合するデータ統合システム、方法及びプログラムを提供することができる。
【図面の簡単な説明】
【００１９】
【図１】本発明の実施形態に係るデータ統合システムを示す概略図である。
【図２】データ統合処理を示すフロー図である。
【図３Ａ】条件検索処理を示すフロー図である。
【図３Ｂ】データ項目相関処理を示すフロー図である。
【図３Ｃ】イベント相関処理を示すフロー図である。
【図４】時間情報の時間間隔の違いを示す概略図である。
【図５】空間情報の空間基準の違いを示す概略図である。
【図６】データ統合処理の表示画面を示す概略図である。
【図７Ａ】条件検索処理の表示画面Ａを示す概略図である。
【図７Ｂ】条件検索処理の表示画面Ｂを示す概略図である。
【図８】データ項目相関処理の表示画面を示す概略図である。
【図９】イベント相関処理の表示画面を示す概略図である。
【発明を実施するための形態】
【００２０】
以下、本発明の一実施形態について、図面を参照しながら詳細に説明する。なお、実施形態の説明の全体を通じて同じ要素には同じ符号を付して説明する。
【００２１】
図１に示される、データ統合システム１００は、記憶手段ＨＤと、演算処理手段Ｃと、キーボードＫやマウスＭなどの入力手段と、表示画面Ｄなどの表示手段と、プリンタＰや記録媒体などの出力手段と、で構成されるコンピュータである。
【００２２】
記憶手段ＨＤは、いわゆる、ハードディスクや、一時的に記憶可能なメモリ（ＲＡＭ）などで構成され、データベース記憶手段、変換関数記憶手段、統合データベース記憶手段、地図情報記憶手段として機能するものである。この記憶手段ＨＤは、基軸データベースＤＢ００と、被統合データベースＤＢ０１，ＤＢ０２，・・・ＤＢ０ｎと、地図情報Ｍａｐと、時間単位変換関数ｆｔ１，ｆｔ２，・・・ｆｔｎと、空間基準変換関数ｇｐ１，ｇｐ２，・・・ｇｐｎと、を記憶し、このほか一時的に、変換後のデータベースＤＢ１１，ＤＢ１２，・・・ＤＢ１ｎなども記憶する。
【００２３】
基軸データベースＤＢ００は、時間情報及び空間情報をデータ項目に含むものであり、例えば、ＰＯＳデータが挙げられるが、これに限られない。通常、ＰＯＳデータは、「いつ」「どこで」「何が」「いくらで」「何個」売れたかを収集するものであり、これに対応したデータ項目として、時刻、店舗、商品、数量、価格などを含んでいる。
【００２４】
このうち、時刻は時間情報であり、その時間単位は、１分単位、１時間単位、１日単位・・・などに設定されている。一方、店舗は所在地であって、空間情報であり、その空間基準は、地点である。
【００２５】
被統合データベースＤＢ０１，ＤＢ０２，・・・ＤＢ０ｎは、時間情報又は空間情報に関連付けられるデータ項目を含むものであり、例えば、気象データ、株価データ、住民基本台帳データ、家計調査データなどが挙げられる。これらのデータ（ベース）は、時間情報又は空間情報の少なくとも一方に関連付けられるデータ項目及びそのデータを含んでいる。なお、これらのデータは、インターネットや記録媒体（ＣＤ・ＤＶＤ）などから入手され、記憶手段ＨＤに記憶又は統合処理時に一時的に記憶される。
【００２６】
時間情報の時間単位は、例えば、気象データでは、１日単位や１時間単位、株価データでは、１分単位や１日単位、住民基本台帳データでは、１月単位である。
【００２７】
このため、基軸データベースＤＢ００の時間情報の時間単位と、被統合データベースＤＢ０１，ＤＢ０２，・・・ＤＢ０ｎの時間情報の時間単位とは、一致していないことが多い（図４参照）。
【００２８】
一方、空間情報の基準は、例えば、気象データでは、地点毎であり、住民基本台帳データでは、地域（エリア）毎である。そして、空間情報の基準が、同じ地点であったとしても、同一場所であることは少なく、通常異なる場所である。地点と地域との関係も、地点が地域に包含される場合や、包含されずに近接である場合などもある。
【００２９】
このため、基軸データベースＤＢ００の空間情報の基準と、被統合データベースＤＢ０１，ＤＢ０２，・・・ＤＢ０ｎの空間情報の基準とは、一致していないことが多い（図５参照）。
【００３０】
そこで、本発明の実施形態に係るデータ統合システム１００は、基軸データベースＤＢ００と、被統合データベースＤＢ０１，ＤＢ０２，・・・ＤＢ０ｎとを、以下のようなデータ統合処理によって、統合する。
【００３１】
（データ統合処理）
データ統合システム１００の演算処理手段Ｃは、図２に示されるデータ統合処理のフロー（プログラム）に従って、各ステップを実行する。ここでは、演算処理手段Ｃは、データ取得手段、時間単位変換手段、空間基準変換手段、データ統合手段として機能する。
【００３２】
（Ｓ１１）データ取得ステップ
データ取得手段は、入力手段により選択された少なくとも一つの被統合データベースＤＢ０１，ＤＢ０２，・・・ＤＢ０ｎからデータを取得する。
【００３３】
（Ｓ１２）時間単位変換ステップ
時間単位変換手段は、取得した被統合データベースＤＢ０１，ＤＢ０２，・・・ＤＢ０ｎ内の時間情報を、所定の時間単位、例えば、基軸データベースＤＢ００の時間単位に揃える。
【００３４】
このとき、時間単位変換手段は、変換関数記憶手段に記憶された時間単位変換関数ｆｔ１，ｆｔ２，・・・ｆｔｎを用いて、時間単位を揃える。時間は、一方向の連続的な流れであるから、時間単位変換関数ｆｔ１，ｆｔ２，・・・ｆｔｎは、比較的単純なものや統計的手法でよく用いられるものであってもよい。例えば、基軸データベースＤＢ００の時間単位が１時間であり、被統合データベースＤＢ０１，ＤＢ０２，・・・ＤＢ０ｎの時間単位が１日であれば、データ項目のデータ値を、単純に２４で割る関数や、昼夜で加重を異ならせた関数などが用いられる。逆に、基軸データベースＤＢ００の時間単位が１時間であり、被統合データベースＤＢ０１，ＤＢ０２，・・・ＤＢ０ｎの時間単位が１分であれば、データ項目のデータ値を、前後３０分間を合計する関数などが用いられる。
【００３５】
これにより、被統合データベースＤＢ０１，ＤＢ０２，・・・ＤＢ０ｎの時間単位が揃えられ、一時的に記憶手段ＨＤに記憶される。
【００３６】
（Ｓ１３）空間基準変換ステップ
空間基準変換手段は、変換後のデータベースＤＢ１１，ＤＢ１２，・・・ＤＢ１ｎ内の空間情報を、所定の空間基準、例えば、基軸データベースＤＢ００の空間基準に揃える。
【００３７】
このとき、空間単位変換手段は、変換関数記憶手段に記憶された空間基準変換関数ｇｐ１，ｇｐ２，・・・ｇｐｎを用いて、空間基準を揃える。空間基準変換関数ｇｐ１，ｇｐ２，・・・ｇｐｎは、統計的手法でよく用いられるものであってよい。
【００３８】
なお、空間情報は、時間情報のように一方向の連続的な流れではないため、被統合データベースＤＢ０１，ＤＢ０２，・・・ＤＢ０ｎの空間情報が、基軸データベースＤＢ００に対応する地点を有さないことが多く、近接する地点又は地域のデータが、代用されることが多い。
【００３９】
そして、これら時間単位変換手段及び空間基準変換手段により、被統合データベースＤＢ０１，ＤＢ０２，・・・ＤＢ０ｎの時間情報及び空間基準が揃えられ、変換後のデータベースＤＢ１１，ＤＢ１２，・・・ＤＢ１ｎとして記憶される。
なお、各変換関数は、表示画面Ｄ内に別メニュー窓を表示することにより選択される（図６参照）。
【００４０】
（Ｓ１４）データ統合ステップ
データ統合手段は、時間を結合キーとして、基軸データベースＤＢ００に、変換後のデータベースＤＢ１１，ＤＢ１２，・・・ＤＢ１ｎの各データ項目内のデータを統合し、統合データベースＤＢ１００とする。
【００４１】
（Ｓ１５）統合データベース記憶ステップ
記憶手段ＨＤは、統合データベースＤＢ１００を記憶する。
【００４２】
このように、データ統合システム１００は、基軸データベースＤＢ００と、被統合データベースＤＢ０１，ＤＢ０２，・・・ＤＢ０ｎとをデータ統合する。
【００４３】
この後、統合データベースＤＢ１００は、表示手段の表示画面Ｄに表示されたり、出力手段のプリンタＰで印刷されたり、又は記録媒体に記録されたりして、外部に出力される。
【００４４】
次に、この統合データベースＤＢ１００を活用するための、以下の３つの処理を用いた分析システムについて説明する。
【００４５】
まず、表示手段について説明しておく。図１（図６−９も参照）に示されるように、表示手段の表示画面Ｄは、第１の領域ｄ１と、第２の領域ｄ２と、第３の領域ｄ３とを有する。第１の領域ｄ１は、縦軸及び横軸によって、統合データベースＤＢ１００を表示する。第１の領域ｄ１は、縦軸に統合データベースＤＢ１００のデータ項目を並べ、横軸を時間軸として時刻や日付などを表示する。第２の領域ｄ２は、地図情報Ｍａｐをいわゆる地図として表示する。第３の領域ｄ３は、後述する関連度などのグラフを表示する。
【００４６】
（Ａ．条件検索処理）
条件検索処理は、検索条件を入力することで、統合データベースＤＢ１００から該当するデータ範囲を検索し、その範囲の時間帯を表示画面Ｄに表示するものであり、表示内容によりデータを分析することができる。
【００４７】
演算処理手段Ｃは、図３Ａに示される条件検索処理のフロー（プログラム）に従って、各ステップを実行する。ここでは、演算処理手段Ｃは、検索条件受付手段、検索手段としても機能する。
【００４８】
（Ｓ２１）検索条件入力ステップ
検索条件受付手段は、統合データベースＤＢ１００のデータ項目内のデータを検索するための検索条件の入力を受付ける。例えば、表示画面Ｄの第２の領域ｄ２付近に別メニュー窓が一時的に表示され、検索条件が入力される（図７Ａ参照）。
【００４９】
（Ｓ２２）検索ステップ
検索手段は、入力された検索条件に一致するデータを統合データベースＤＢ１００から検索する。
【００５０】
（Ｓ２３）表示ステップＡ
入力された検索条件に一致するデータがあった場合、表示手段は、表示画面Ｄの第１の領域ｄ１に、検索条件に一致するデータを含む時間を一致対象範囲として重ね表示（ハイライト）する（図７Ａ参照）。
【００５１】
（Ｓ２４）表示ステップＢ
さらに、検索条件に一致するデータを含むデータ項目が空間情報を含む場合、第２の領域ｄ２の地図上に、一致対象範囲内の空間情報を重ね表示する（図７Ｂ参照）。このとき、一致対象範囲内の時間の経過とともにデータを表示すると、アニメーションのようになり、見やすくなる。
【００５２】
（Ｂ．データ項目間の関連度処理）
また、データ項目間の関連度処理は、統合データベースＤＢ１００のデータ項目同士を比較することで、データ項目間の関連度を表示画面Ｄに表示するものであり、表示内容により関連度の大小やその時間的な変遷などを確認することができる。
【００５３】
演算処理手段Ｃは、図３Ｂに示されるデータ項目相関処理のフロー（プログラム）に従って、各ステップを実行する。ここでは、演算処理手段Ｃは、比較演算手段としても機能する。
【００５４】
（Ｓ３１）データ取得ステップ
データ取得手段は、統合データベースＤＢ１００から、入力手段により選択された一つの指定データ項目とそれ以外の全データ項目を取得する。この一つの指定データ項目には、通常、基軸データベースＤＢ００のデータ項目が選択されるが、被統合データベースＤＢ０１，ＤＢ０２，・・・ＤＢ０ｎのデータ項目が選択されることもある。
【００５５】
（Ｓ３２）比較演算ステップ
比較演算手段は、入力手段により選択された一つの指定データ項目と、それ以外の全データ項目との関連度をそれぞれ演算する。この比較演算手段は、統計的手法でよく用いられる所定のアルゴリズムにより、これらの関連度を演算する。
【００５６】
（Ｓ３３）表示ステップ
表示手段は、演算された関連度を、系数表で、あるいは、散布図や係数の時系列推移のグラフなどで、表示画面Ｄの第３の領域ｄ３に表示する（図８参照）。
【００５７】
（Ｃ．イベント相関処理）
また、イベント相関処理は、各種イベントのイベントデータベースＥＶの文字情報を表示画面Ｄに表示するもので（図９参照）、表示内容により、各種イベントと統合データベースＤＢ１００のデータ項目との関連性の有無を確認することができる。
【００５８】
演算処理手段Ｃは、図３Ｃに示されるイベント相関処理のフロー（プログラム）に従って、各ステップを実行する。ここでは、演算処理手段Ｃは、イベントデータ取得手段としても機能し、記憶手段ＨＤは、イベントデータ記憶手段としても機能する。
【００５９】
イベントデータベースＥＶは、時間情報に関連付けられた文字情報を含むデータである。時間情報に関連付けられる文字情報は、時事ニュース、祭りや蚤の市などの地域行事、野球・サッカーなどの試合、コンサート・催し物、などの各種イベントである。
【００６０】
（Ｓ４１）データ取得ステップ
イベントデータ取得手段は、イベントデータ記憶手段から、イベントデータを取得する。具体的には、別メニュー窓による選択やドラッグ＆ドロップなどの操作により取得される。
【００６１】
（Ｓ４２）表示ステップ
表示手段は、取得したイベントデータの文字情報を、統合データベースＤＢ１００の内容を表示した表示画面Ｄの第１の領域ｄ１に、横軸の時間と対応させて、重ね表示する（図９参照）。
【００６２】
以上説明したとおり、本発明の実施形態に係るデータ統合システム１００は、時間情報及び空間情報をデータ項目に含む基軸データベースＤＢ００と、時間情報又は空間情報に関連付けられるデータ項目を含む少なくとも一つの被統合データベースＤＢ０１，ＤＢ０２，・・・ＤＢ０ｎと、を統合するものであって、各データベースを記憶するデータベース記憶手段と、各データベースからデータを取得するデータ取得手段と、各データベース内の時間情報を、所定の時間単位に揃える時間単位変換手段と、各データベース内の空間情報を、所定の空間基準に揃える空間基準変換手段と、時間単位及び空間基準が揃えられた各変換後のデータベースＤＢ１１，ＤＢ１２，・・・ＤＢ１ｎを、時間を結合キーとして、各データ項目内のデータを一つの統合データベースＤＢ１００として統合するデータ統合手段と、統合データベースＤＢ１００を記憶する統合データベース記憶手段と、を有する。
【００６３】
本発明の実施形態に係るデータ統合方法は、時間情報及び空間情報をデータ項目に含む基軸データベースＤＢ００と、時間情報又は空間情報に関連付けられるデータ項目を含む少なくとも一つの被統合データベースＤＢ０１，ＤＢ０２，・・・ＤＢ０ｎと、を統合するものであって、各データベースからデータを取得するデータ取得ステップと、各データベース内の時間情報を、所定の時間単位に揃える時間単位変換ステップと、各データベース内の空間情報を、所定の空間基準に揃える空間基準変換ステップと、時間単位及び空間基準が揃えられた各変換後のデータベースＤＢ１１，ＤＢ１２，・・・ＤＢ１ｎを、時間を結合キーとして、各データ項目内のデータを一つの統合データベースＤＢ１００として統合するデータ統合ステップと、を有する。
【００６４】
これにより、まず、基軸データベースＤＢ００と、被統合データベースＤＢ０１，ＤＢ０２，・・・ＤＢ０ｎとは、基軸データベースＤＢ００の時間単位及び空間基準に揃えられる。その後、時間を結合キーとして、各データ項目内のデータを統合データベースＤＢ１００に統合する。そのため、基軸データベースＤＢ００の時間単位及び位置基準と、被統合データベースＤＢ０１，ＤＢ０２，・・・ＤＢ０ｎの時間単位と位置基準が異なっていても、統合データベースＤＢ１００に統合することができる。
【００６５】
本実施形態のデータ統合システム１００は、統合データベースＤＢ１００のデータ項目を検索するための検索条件の入力を受付ける検索条件受付手段と、入力された検索条件に一致するデータを統合データベースＤＢ１００から検索する検索手段と、を更に有し、表示手段は、第１の領域ｄ１に、検索条件に一致するデータを含む時間を対象範囲として重ね表示し、検索条件に一致するデータを含むデータ項目が空間情報を含む場合、第２の領域ｄ２の地図上に、対象範囲内の空間情報を重ね表示する。
【００６６】
本実施形態によれば、統合データベースＤＢ１００から検索条件に一致するデータを含む時間範囲が、重ね表示され、また、その空間情報も地図上に重ね表示されるため、データの分析作業などを支援することができる。
【００６７】
本実施形態のデータ統合システム１００は、統合データベースＤＢ１００から選択された一つの指定データ項目と、それ以外の全データ項目との関連度をそれぞれ演算する比較演算手段を、更に有し、表示手段は、比較演算結果を表示画面の第３の領域に表示する。
【００６８】
本実施形態によれば、統合データベースＤＢ１００内の選択された一つの指定データ項目と、それ以外の全データ項目のそれぞれに対する関連度を、表示画面Ｄに表示するため、データ項目間の関連度を把握することができ、分析作業などを支援することができる。
【００６９】
本実施形態のデータ統合システム１００は、時間情報に関連付けられた文字情報を含むイベントデータベースＥＶを記憶するイベントデータ記憶手段と、イベントデータベースＥＶからイベントデータを取得するイベントデータ取得手段と、を更に有し、表示手段は、取得したイベントデータの文字情報を、第１の領域ｄ１の横軸に対応させて、重ね表示する。
【００７０】
本実施形態によれば、基軸データベースＤＢ００及び被統合データベースＤＢ０１，ＤＢ０２，・・・ＤＢ０ｎのデータ項目及びデータと、各種イベントの文字情報とを同時に表示画面Ｄに表示するため、関連性の有無を確認することができ、分析作業などを支援することができる。
【００７１】
以上、本発明の好ましい実施形態について詳述したが、本発明は上述した実施形態に限定されるものではなく、特許請求の範囲に記載された本発明の要旨の範囲内において、種々の変形、変更が可能である。
【符号の説明】
【００７２】
１００  データ統合システム
Ｃ      演算処理手段
Ｄ      表示画面、ｄ１  第１の領域、ｄ２  第２の領域、ｄ３  第３の領域
ＨＤ    記憶手段
Ｋ      キーボード
Ｍ      マウス
Ｐ      プリンタ
ＤＢ００    基軸データベース
ＤＢ０１，ＤＢ０２，・・・ＤＢ０ｎ    被統合データベース
ＤＢ１１，ＤＢ１２，・・・ＤＢ１ｎ    変換後のデータベース
ＤＢ１００    統合データベース
ＥＶ      イベントデータベース
ｆｔ１，ｆｔ２，・・・ｆｔｎ    時間単位変換関数
ｇｐ１，ｇｐ２，・・・ｇｐｎ    空間基準変換関数
Ｍａｐ    地図情報
【図１】
2017191454.tif 000003
【図２】
2017191454.tif 000004
【図３Ａ】
2017191454.tif 000005
【図３Ｂ】
2017191454.tif 000006
【図３Ｃ】
2017191454.tif 000007
【図４】
2017191454.tif 000008
【図５】
2017191454.tif 000009
【図６】
2017191454.tif 000010
【図７Ａ】
2017191454.tif 000011
【図７Ｂ】
2017191454.tif 000012
【図８】
2017191454.tif 000013
【図９】
2017191454.tif 000014